(57)【要約】【課題】前面枠を本体枠に対し解錠する際、解錠操作に応じて前面枠を容易に開放することができるゲーム機の施錠装置を提供する。【解決手段】取付板２と支持板３とを有する基枠体１の内側に連結杆４が摺動可能に配設され、支持板３の上部と下部に鉤部材５，６が傾動可能に枢支される。連結杆４の上端と下端が上下の鉤部材５，６に連結され、連結杆４に鉤部材５，６を施錠側に付勢するコイルばね１９が装着される。取付板２の中間部にシリンダ錠１４が固定され、シリンダ錠１４の錠軸に取付られたカム板１３が連結杆４に係合可能に配設される。上部と下部の鉤部材５，６に、解錠時に鉤部材が傾動したとき、本体枠側の受け金具３３の係止板部３４，３５に当接して、前面枠３１を押し出すように作用する押し出し部５ａ，６ａが設けられる。【選択図】図２
2006034699.tif 000002
【特許請求の範囲】
【請求項１】
取付板と支持板とを有する基枠体の内側に連結杆が摺動可能に配設され、該支持板の上部と下部に鉤部材が傾動可能に枢支され、該連結杆の上端と下端が上下の該鉤部材に連結され、該連結杆に該鉤部材を施錠側に付勢するばね部材が装着され、該取付板の中間部にシリンダ錠が固定され、該シリンダ錠の錠軸に取付られたカム板が該連結杆に係合可能に配設され、ゲーム機の前面枠の内側に該基枠体が縦に固定され、ゲーム機の本体枠内に固定された受け金具の係止板部に該鉤部材が係止されて前面枠を施錠するゲーム機の施錠装置において、
該上部と下部の鉤部材に、解錠時に該鉤部材が傾動したとき、該本体枠側の受け金具の係止板部に当接して、該前面枠を押し出すように作用する押し出し部が設けられたことを特徴とするゲーム機の施錠装置。
【請求項２】
前記押し出し部は、前記鉤部材の枢軸の上方位置に山形に形成され、前記前面枠を閉じて施錠する際、前記係止板部が鉤部材の傾斜面に接触して鉤部材が傾動し、該係止板部が鉤部材の突出端を通過するまでの間、係止板部が押し出し部と非接触状態になるように形成され、且つ、該押し出し部は、解錠する際、該鉤部材が傾動して該鉤部材の突出端が該係止板部を離れたとき、該押し出し部が該係止板部に接触を開始する形状に形成されたことを特徴とする請求項１記載のゲーム機の施錠装置。
【発明の詳細な説明】
【技術分野】
【０００１】
本発明は、スロットマシン、パチンコ機等のゲーム機の前面枠（前扉）を、本体枠（筐体）に対し施錠するゲーム機の施錠装置に関し、特に解錠操作時に前面枠を前方に押し出すように解錠することができるゲーム機の施錠装置に関する。
【背景技術】
【０００２】
従来、この種のゲーム機の施錠装置として、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム板が取り付けられた構成の施錠装置が、下記特許文献１などで知られている。
【０００３】
この種の施錠装置では、連結杆と基枠体または他の部材との間に、連結杆つまり鉤部材を施錠方向に付勢するばね部材が装着され、鉤部材はフリーの状態で、そのばね部材のばね力により施錠側に付勢され、施錠姿勢を保持している。一方、解錠時にはシリンダ錠の錠軸とカム板の回動により、連結杆がばね部材のばね力に抗して解錠方向に摺動すると共に、鉤部材が解錠側に傾動して、鉤部材と本体枠側の受け金具との係合が外れ、解錠状態となる。
【特許文献１】実開昭６０−２５８５号公報
【特許文献２】特開２００４−１９４８１１
【発明の開示】
【発明が解決しようとする課題】
【０００４】
しかし、シリンダ錠を解錠操作しただけでは、鉤部材が傾動し、受け金具との係合が外れるのみであるため、前面枠を開放することができない。特に、例えばスロットマシンのようなゲーム機の場合、筐体の前縁部がその上部を後方に後退させ、その下部を前方に出すように形成され、前扉が後方に傾斜した軸の回りで回動する蝶番を介して筐体に取り付けられている。このため、前扉の自重により常に前扉を筐体側に引く力つまり閉鎖側に付勢する力が作用することになる。このため、前扉は、施錠装置を解錠操作しただけでは、全く開放されず、開放するためには、施錠装置のシリンダ錠を解錠操作しながら、さらに前扉を開方向に押し開くように操作する必要があった。このため、スロットマシンのような傾斜した蝶番回動軸を有した前扉を、解錠操作して容易に開くことができる施錠装置が要望されていた。
【０００５】
ところで、パチンコ機のガラス枠を施錠する施錠装置においては、ガラス枠の解錠時にガラス枠を開方向に押すための押し出し部を、基枠に枢支されたフック状の鉤部材に一体的に設けた施錠装置が、上記特許文献２などで提案されている。しかしながら、ガラス枠は前面枠に比べて軽量で、比較的容易に押し開くことができるため、簡単に鉤部材と一体的に押し出し部を形成し、その押し出し部に対応した位置のガラス枠内に、当接部を設けることができるが、前面枠は重量が重く前面枠を開く際には少なからぬ回動力を必要とするため、ガラス枠用の押し出し部やガラス枠内に設ける当接部は、前面枠用にそのまま使用することができないという課題があった。
【０００６】
本発明は、上記の点に鑑みてなされたもので、前面枠（前扉）を本体枠（筐体）に対し解錠する際、解錠操作に応じて前面枠を容易に開放することができるゲーム機の施錠装置を提供することを目的とする。
【課題を解決するための手段】
【０００７】
上記目的を達成するために、本発明のゲーム機の施錠装置は、取付板と支持板とを有する基枠体の内側に連結杆が摺動可能に配設され、支持板の上部と下部に鉤部材が傾動可能に枢支され、連結杆の上端と下端が上下の鉤部材に連結され、連結杆に鉤部材を施錠側に付勢するばね部材が装着され、取付板の中間部にシリンダ錠が固定され、シリンダ錠の錠軸に取付られたカム板が連結杆に係合可能に配設され、ゲーム機の前面枠の内側に基枠体が縦に固定され、ゲーム機の本体枠内に固定された受け金具の係止板部に鉤部材が係止されて前面枠を施錠するゲーム機の施錠装置において、上部と下部の鉤部材に、解錠時に鉤部材が傾動したとき、本体枠側の受け金具の係止板部に当接して、前面枠を押し出すように作用する押し出し部が設けられたことを特徴とする。
【０００８】
ここで、上記押し出し部は、上記鉤部材の枢軸の上方位置に山形に形成され、前面枠を閉じる施錠時、係止板部が鉤部材の傾斜面に接触して鉤部材が傾動し、係止板部が鉤部材の突出端を通過するまでの間、係止板部が押し出し部と非接触状態になる形状に形成され、且つ、押し出し部は、前面枠を解錠する際、鉤部材が傾動して鉤部材の突出端が係止板部を離れたとき、押し出し部が係止板部に接触を開始する形状に形成することができる。
【発明の効果】
【０００９】
上記構成の施錠装置では、施錠された状態の前面枠を解錠する場合、キーによりシリンダ錠の錠軸を回し、カム板を回動させ、それによって、連結杆を解錠方向に摺動させて上下の鉤部材を、枢軸を軸に回動させ傾動させる。このとき、鉤部材は、その一部に形成された押し出し部が受け金具の係止板部を押し出すように作用し、これにより施錠装置側つまり前面枠側に反力が生じる。したがって、鉤部材の傾動により受け金具の係止板部との係合が解除され解錠されたとき、前面枠は前方に押し出され、開放される。
【００１０】
また、押し出し部が鉤部材の枢軸の上方位置に山形に形成され、鉤部材が傾動して鉤部材の突出端が係止板部を離れたとき、押し出し部が係止板部に接触を開始する形状に押し出し部を形成すれば、鉤部材が枢軸を軸として回動する動作に伴い、押し出し部を効果的に係止板部に押し付け、その反力により施錠装置の前面枠を良好に前方に押し出すことができる。
【００１１】
一方、施錠するために、前面枠を閉じると、先ず、鉤部材の傾斜面が受け金具の係止板部の端部に接触して鉤部材が傾動し、鉤部材の係止凹部が係止板部に係合したとき、鉤部材が復帰回動して施錠状態となる。このとき、係止板部が鉤部材の傾斜面に接触して鉤部材が傾動し、係止板部が鉤部材の突出端を通過するまでの間、係止板部が押し出し部と非接触状態になるように押し出し部を形成すれば、鉤部材は押し出し部の影響を受けずに係止板部に良好に係止され、施錠状態とすることができる。
【００１２】
このように、前面枠を解錠して開く際、シリンダ錠に差し込んだキーを解錠方向に回し、鉤部材が枢軸を軸に回動して傾動する際、鉤部材の押し出し部が係止板部を押し出すように作用するから、キーの比較的短い回動操作と連結杆の摺動ストロークにより、鉤部材の押し出し部を効果的に押し出し動作させることができ、その反力で前面枠が前方に開放される。よって、スロットマシンのような傾斜した蝶番回動軸を有して自重により閉じてしまう前扉であっても、解錠時に前扉を容易に開くことができる。また、鉤部材の押し出し部は、本体枠側の受け金具の係止板部を押して前面枠を開くため、鉤部材が係止される係止板部の他に押し出し部が押すための受け部を設ける必要がなく、簡単な構造で具現化することができる。
【発明を実施するための最良の形態】
【００１３】
以下、本発明の実施の形態を図面に基づいて説明する。図１〜図４はゲーム機用施錠装置の正面図、左右側面図、及び背面図を示し、図５は分解右側面図を示している。この施錠装置は、金属板をプレス加工して形成された縦長の基枠体１を有し、基枠体１は略断面Ｌ形に曲折された取付板２と支持板３を持ち、取付板２の反支持板側の端部は、短い幅で外側に長手方向に沿って曲折され、取付板２にはシリンダ錠１４の取付用の孔と複数の固定孔が穿設されている。
【００１４】
取付板２に対し略直角に曲折された支持板３の上部と下部近傍に幅広部が形成され、その部分に、鉤部材５、６が枢軸７、８により回動可能に軸支されている。鉤部材５，６は、その先端部が傾斜面を有したフック状に形成され、その元部には、押し出し部５ａ，６ａが、枢軸７，８の上側位置を山形形状とするように形成されている。
【００１５】
この押し出し部５ａ，６ａは、解錠時に鉤部材５，６が下側に傾動したとき、本体枠側の受け金具３３の係止板部３４，３５を背面側に押して、前面枠３１を前方に押し出すために設けられる。さらに、この押し出し部５ａ，６ａの形状は、施錠時に鉤部材５，６が良好に受け金具３３の係止板部３４，３５に係止され且つ解錠時には外れるように、前面枠３１を閉じる施錠時、係止板部３４，３５が鉤部材５，６の傾斜面に接触して鉤部材５，６が傾動し、係止板部３４，３５が鉤部材５，６の突出端を通過するまでの間、係止板部３４，３５が押し出し部５ａ，６ａと非接触状態になる形状に形成される。さらに、押し出し部５ａ，６ａは、前面枠３１を解錠する際、鉤部材５，６が傾動して鉤部材５，６の突出端が係止板部３４，３５を離れたとき、押し出し部５ａ，６ａが係止板部３４，３５に接触を開始する形状に形成されている。
【００１６】
上下の鉤部材５，６は、図２に示すように、鉛直姿勢の支持板３に対し、各々略水平横方向に突出した状態で静止するが、このために、当接支持部３ａが、上の鉤部材５の元部下側に当接可能な位置に、支持板３の一部を内側に切り起こした状態で設けられている。したがって、鉤部材５，６はその元部が連結杆４を介して下側に付勢されることにより、略水平横方向に突出した状態で、その元部が当接支持部３ａに当接し、静止する。
【００１７】
そして、鉤部材５，６は、そのような水平姿勢から下側に傾動可能に、枢軸６、７によって枢支されている。基枠体１の支持板３の内側に沿って帯状の連結杆４が摺動可能に配設され、上下の鉤部材５、６の末端部に連結軸９、１０を介して連結杆４の上端と下端が連結される。したがって、連結杆４が上方に摺動することにより、鉤部材５、６は下側の解錠位置に傾動する。連結杆４にはこれを下側（施錠方向）に付勢するためのコイルばね１９が後述のスイッチ作動杆１５との間に装着されている。
【００１８】
図２、図３に示すように、鉤部材５，６を枢支した支持板３の幅広部には、フック状の鉤部材５，６の係止凹部に対応した背後位置に、当接部３ｂが設けられている。この当接部３ｂは、前面枠３１が本体枠３０に対し閉じられ、鉤部材５，６が本体枠側の受け金具３３の係止板部３４，３５に係止したとき、その当接部３ｂに係止板部３４，３５が当接可能とされ、不正行為によって前面枠３１が上方に持ち上げられた際、鉤部材５，６が下側に傾動して不正解錠される不具合を防止している。
【００１９】
取付板２の上部と中間部と下部寄りに、山形のガイド支持部２ａが連結杆４をガイドするように、取付板２の一部を内側に切り起して形成されている。連結杆４はそのガイド支持部２ａと支持板３間に配設され、ガイド支持部２ａと支持板３により上下摺動可能にガイドされる。また、図５のように、連結杆４の一部に長孔４ｂが穿設され、その長孔４ｂにガイドピン１２が挿通されて支持板３に固定され、連結杆４はガイドピン１２により長手方向に摺動可能にガイドされる。また、連結杆４の中間部には、後述のカム板１３の係合凸部１３ａに係合可能な係合部４ｃが形成されている。
【００２０】
さらに、取付板２の中間部には、シリンダ錠１４を取り付けるための幅広部が形成され、その幅広部に円形孔が穿設され、その孔にシリンダ錠１４が背面側から挿入され、そのフランジ部を取付板２の内側にねじ止めして、シリンダ錠１４が取付板２上に取り付けられる。さらに、図４、図５に示すように、支持板３と連結杆４との間に、スイッチ作動杆１５が摺動可能に配設される。このスイッチ作動杆１５は、後述のシリンダ錠１４によりカム板１３を左に回したとき、その係合凸部１３ｂに係合して下側に摺動し、作動スイッチ２１をオンオフ動作させるように構成される。連結杆４とスイッチ作動杆１５の間にコイルばね１９が掛けられ、このコイルばね１９のばね力によって連結杆４は下側に付勢され、スイッチ作動杆１５は上側に付勢されている。
【００２１】
シリンダ錠１４は長尺のシリンダ部を有して形成され、その錠軸の先端が基枠体１の内側に突出すように取り付けられ、錠軸の先端にカム板１３が固定される。図４に示すように、カム板１３には係合凸部１３ａと１３ｂが設けられ、連結杆４の対応箇所には、係合凸部１３ａと係合可能な係合部４ｃが設けられ、スイッチ作動杆１５にも係合凸部１３ｂと係合可能な係合凹部が設けられる。カム板１３の係合凸部１３ａはシリンダ錠１４のキーを右に回した時、連結杆４と係合して連結杆４を上方に移動させ、カム板１３の係合凸部１３ｂはキーを左に回した時、スイッチ作動杆１５と係合してこれを下方に摺動させる。
【００２２】
図４に示すように、スイッチ作動杆１５の下端部に対向した位置の取付板２上に、透過型の光電スイッチ、近接スイッチなどの非接触式の作動スイッチ２１が取り付けられ、シリンダ錠１４を左に回し、スイッチ作動杆１５が下に移動したとき、その端部を検知してリセット信号などの信号を出力する。
【００２３】
支持板３の下部の幅広部には、合成樹脂製のローラ１８が回転自在に軸支される。このローラ１８は、前面枠３１の閉鎖時に受け金具３３に設けたローラ受け上を転動して前面枠３１を支持する。また、図２のように、支持板３と反対側の取付板２の側縁部には、縁部を直角に曲げて側壁２ｂが形成され、これによって、基枠体１を補強すると共に、カム板１３やその係合部分に、針金等を侵入させないようにしている。
【００２４】
このように構成された施錠装置は、図７〜図１０に示すように、ゲーム機例えばスロットマシンの前面枠３１（前扉）の内側に基枠体１の取付板２を縦に固定して装着され、ゲーム機の本体枠３０側の対応位置に受け金具３３が取り付けられる。
【００２５】
受け金具３３は、図７のように、縦長の基板の上部と下部に、板状係止部３４，３５を突設して形成され、板状係止部３４，３５は施錠装置側の鉤部材５、６の対向位置に配置される。さらに、受け金具３３係止板部３５の下側にはローラ受け３７が設けられる。また、受け金具３３の側部には、長尺の基板の側縁に沿った側縁部として隙間覆い部が設けられる。
【００２６】
施錠するために、前面枠３１を本体枠３０に対し閉じると、先ず、図７のように、鉤部材５，６の傾斜面が受け金具３３の係止板部３４，３５の端部に接触して鉤部材５，６が下側に傾動し、鉤部材５，６の係止凹部が係止板部３４，３５に係合したとき、図８のように、鉤部材５，６が上側に傾動復帰して施錠状態となる（図９）。このとき、図１１（ｂ）に示すように、係止板部３４，３５が鉤部材５，６の傾斜面に接触して鉤部材５，６が傾動し、係止板部３４，３５が鉤部材５，６の突出端を通過するまでの間、係止板部３４，３５は押し出し部５ａ，６ａと非接触状態になるため、鉤部材５，６は押し出し部５ａ，６ａの影響を受けずに係止板部３４，３５に良好に係止され、施錠状態となる。
【００２７】
一方、前面枠３１を開くために、所定のキーをシリンダ錠１４に挿入し、それを右に回すと、錠軸、カム板１３が同方向に回動し、カム板１３の係合凸部１３ａとの係合により連結杆４がコイルばね１９の付勢力に抗して上方に移動し、これにより、図１０のように、上下の鉤部材５、６が下側に傾動して、本体枠３０側の受け金具３３の係止部３４，３５との係合を外し、解錠状態となる。
【００２８】
このとき、図１１（ａ）のように、鉤部材５，６は下側に傾動する際、鉤部材５，６の枢軸の上側に山形に形成した押し出し部５ａ，６ａが、受け金具３３の係止板部３４，３５を押し出すように作用し、これにより施錠装置側つまり前面枠３１側に反力が生じ、鉤部材５，６の傾動により係止板部３４，３５との係合が解除され解錠されたとき、前面枠３１は前方に押し出され、開放される。
【００２９】
またこのとき、押し出し部５ａ，６ａは、図１１（ａ）に示すように、鉤部材５，６が傾動して鉤部材５，６の突出端が係止板部３４，３５を離れたとき、押し出し部５ａ，６ａが係止板部３４，３５に接触を開始する形状に形成されているから、鉤部材５，６の枢軸７，８を軸とした回動により、押し出し部５ａ，６ａを効果的に係止板部３４，３５に押し付け、その反力により前面枠３１を良好に前方に押し出すことができる。
【００３０】
一方、ゲーム機をリセットする場合、所定のキーをシリンダ錠１４に挿入し、それを左に回すと、錠軸、カム板１３が同方向に回動し、カム板１３の係合凸部１３ｂとの係合によりスイッチ作動杆１５がコイルばね１９の付勢力に抗して下方に移動する。このとき、作動スイッチ２１がこのスイッチ作動杆１５の下端部を検知して信号を出力し、この信号がリセット信号として送出される。
【００３１】
このように、前面枠３１を解錠して開く際、シリンダ錠１４に差し込んだキーを解錠方向に回し、その動作に応じて鉤部材５，６が傾動する際、鉤部材５，６の枢軸７，８の上側に山形に設けた押し出し部が、係止板部３４，３５を押し出すように作用するから、その反力で前面枠３１が前方に押し出されるように開放される。したがって、スロットマシンのように、筐体の前縁部が傾斜して形成され、傾斜した蝶番回動軸を介して前扉が取り付けられ、自重により閉じてしまう前扉であっても、キーの回動操作を行なうだけで、前扉を前方に効果的に押し出して、容易に開くことができる。
【００３２】
さらに、例えば、施錠装置の鉤部材がスライド式のものであって、そのスライド式鉤部材に押し出し部を設けた場合、押し出し部のスライド動作から押し出し力を生じさせるためには、鉤部材に、かなり大きなスライドのストローク幅と摺動力を必要とする。しかし、本発明のように、傾動する鉤部材５、６の一部に押し出し部５ａ，６ａを設け、鉤部材５，６つまり押し出し部５ａ，６ａの枢軸７，８を軸とした回動により、係止板部３４，３５を押すように構成すれば、連結杆４の比較的短いストロークと小さい摺動力により、充分に長いストローク幅と大きな押し出し力をもって押し出し部５ａ，６ａを押し出し動作させることができる。このため、それほど大きくないキーの解錠操作力により、前面枠を効果的に押し開くことができる。また、鉤部材５，６の押し出し部５ａ，６ａは、本体枠側の受け金具３３の係止板部３４，３５を押して前面枠３１を開くため、鉤部材５，６が係止される係止板部３４，３５の他に、押し出し部が押すための受け部などを別個に設ける必要がなく、簡単な構造とすることができる。
【図面の簡単な説明】
【００３３】
【図１】本発明の一実施形態を示す施錠装置の正面図である。
【図２】同装置の右側面図である。
【図３】同装置の左側面図である。
【図４】同装置の背面図である。
【図５】同装置の分解右側面図である。
【図６】解錠操作時の右側面図である。
【図７】前面枠を閉じる際の使用状態を示す右側面図である。
【図８】前面枠を閉じて施錠する際の使用状態を示す右側面図である。
【図９】前面枠を閉じて施錠した状態の使用状態を示す右側面図である。
【図１０】キーにより解錠操作を行なって解錠した状態の使用状態を示す右側面図である。
【図１１】（ａ）は解錠時の押し出し部の動作を示す説明図、（ｂ）は前面枠を閉じた際の鉤部材の動作を示す説明図である。
【符号の説明】
【００３４】
１−基枠体
２−取付板
３−支持板
４−連結杆
４ａ−開口部
５、６−鉤部材
５ａ，６ａ−押し出し部
７，８−枢軸
１３−カム板
１４−シリンダ錠
１９−コイルばね
３４，３５−係止板部
【図１】
2006034699.tif 000003
【図２】
2006034699.tif 000004
【図３】
2006034699.tif 000005
【図４】
2006034699.tif 000006
【図５】
2006034699.tif 000007
【図６】
2006034699.tif 000008
【図７】
2006034699.tif 000009
【図８】
2006034699.tif 000010
【図９】
2006034699.tif 000011
【図１０】
2006034699.tif 000012
【図１１】
2006034699.tif 000013